(57)【特許請求の範囲】
【請求項１】
通信ネットワークに接続するための通信手段と、
前記通信手段を介して前記通信ネットワークに対して発信された個人の発信情報を、前記個人の発信情報の発信時間と、前記個人の識別情報とに対応付けて蓄積部に蓄積する蓄積手段と、
前記蓄積部に蓄積された前記個人の発信情報のうちから、編集対象の前記個人の発信情報の選択を受け付ける選択受付手段と、
ユーザにより指定された検索用キーワードを受け付け、前記受け付けた検索用キーワードと、前記選択受付手段で前記選択が受け付けられたことにより選択された前記編集対象の前記個人の発信情報の発信時間とに基づいた検索を実行する検索手段と、
前記検索手段での検索結果を、前記選択された前記編集対象の前記個人の発信情報と関連付けて、前記蓄積部に蓄積する編集手段と、
を備える情報蓄積編集装置。
【請求項２】
前記検索手段で受け付けられた前記検索用キーワードは、前記選択された前記編集対象の前記個人の発信情報中から指定されたものである
ことを特徴とする請求項１に記載の情報蓄積編集装置。
【請求項３】
前記検索用キーワードは、場所に関連して指定される
ことを特徴とする請求項１または請求項２に記載の情報蓄積編集装置。
【請求項４】
請求項１に記載の情報蓄積編集装置において、
前記検索手段は、前記検索により複数個の検索結果を取得して、ユーザに呈示し、
前記編集手段は、前記呈示された複数個の検索結果からユーザにより選択された検索結果を、前記選択された前記編集対象の前記個人の発信情報と関連付けて、前記蓄積部に蓄積する
ことを特徴とする情報蓄積編集装置。
【請求項５】
前記検索手段は、前記受け付けた検索用キーワードとして、時間を用いることが選択されたときには、前記選択された前記編集対象の前記個人の発信情報の発信時間のみを検索用キーワードとして前記検索を実行して、前記選択された前記編集対象の前記個人の発信情報の発信時間における社会の出来事に関する情報を検索する機能を備える
ことを特徴とする請求項１又は請求項４に記載の情報蓄積編集装置。
【請求項６】
請求項１〜請求項４のいずれかに記載の情報蓄積編集装置において、
前記検索手段は、前記蓄積部に蓄積された前記個人の発信情報のテキスト情報で表わされる文面の中から選択されたキーワードを、前記検索用キーワードとして検索する機能を備える
ことを特徴とする情報蓄積編集装置。
【請求項７】
前記通信ネットワークに接続されたサーバ装置からなり、
ユーザは、前記サーバ装置を通じて前記個人の発信情報を発信することができるように構成されている
ことを特徴とする請求項１〜請求項６のいずれかに記載の情報蓄積編集装置。
【請求項８】
前記通信ネットワークに接続されたパーソナルコンピュータからなる
ことを特徴とする請求項１〜請求項６のいずれかに記載の情報蓄積編集装置。
【請求項９】
請求項１に記載の情報蓄積編集装置において、
前記検索手段は、ユーザにより設定された少なくとも時間に関するキーワードを含む検索用キーワードを用いて前記通信ネットワークを通じた検索サイトに対して検索要求を行うと共に、前記検索用キーワードと同じキーワードにより前記蓄積部に蓄積された前記個人の発信情報を検索する機能を、さらに備えると共に、
前記編集手段は、前記検索要求に応じて取得された検索結果を、前記蓄積部から検索された結果としての前記個人の発信情報に関連付けて挿入して蓄積する機能を、さらに備える
ことを特徴とする情報蓄積編集装置。
【発明の詳細な説明】
【技術分野】
【０００１】
この発明は、個人の人生での出来事に関する情報を蓄積すると共に、当該情報を編集する情報蓄積編集装置に関する。
【背景技術】
【０００２】
自分がどのような人生を歩んできたかの足跡を家族や知人に残すため、また、自分が生きてきた証を残すため、自分史を制作しようとする人が最近、多くなってきている。しかし、ユーザが、一から自分史を起稿することは非常な労苦を伴うものである。
【０００３】
そこで、パーソナルコンピュータの普及およびインターネットによる種々の情報検索環境の充実を利用して自分史の作成を支援する装置が種々提案されている。例えば、特許文献１（特開平１１−３５３３０８号公報）や特許文献２（特開２００９−１１６５１９号公報）には、自分史をユーザが記述する際に、過去の自分の状況、例えば小学生、中学生などの状況に応じた質問をユーザに提示し、その質問に対するユーザの回答を雛型文章に挿入することにより、自分史を支援する装置が提案されている。
【０００４】
さらに、特許文献２においては、過去の年月日における社会の出来事や流行などを参照して自分史を記述することができるようにするため、それら社会の出来事や流行についての年表を作成する機能を備える装置が開示されている。
【先行技術文献】
【特許文献】
【０００５】
【特許文献１】特開平１１−３５３３０８号公報
【特許文献１】特開２００９−１１６５１９号公報
【発明の概要】
【発明が解決しようとする課題】
【０００６】
しかしながら、人間の記憶は曖昧であり、質問に対して回答できないことも多々生じる。また、同様に、過去の社会の出来事や流行を年表により知得することができても、記憶のみを頼りにした場合には、関連する自分についての出来事を思い出すことができない場合も多い。
【０００７】
この発明は、以上の問題点を解決することができる装置を提供することを目的とする。
【課題を解決するための手段】
【０００８】
上記の課題を解決するために、この発明は、
通信ネットワークに接続するための通信手段と、
前記通信手段を介して前記通信ネットワークに対して発信された個人の発信情報を、前記個人の発信情報の発信時間と、前記個人の識別情報とに対応付けて蓄積部に蓄積する蓄積手段と、
前記蓄積部に蓄積された前記個人の発信情報のうちから、編集対象の前記個人の発信情報の選択を受け付ける選択受付手段と、
ユーザにより指定された検索用キーワードを受け付け、前記受け付けた検索用キーワードと、前記選択受付手段で前記選択が受け付けられたことにより選択された前記編集対象の前記個人の発信情報の発信時間とに基づいた検索を実行する検索手段と、
前記検索手段での検索結果を、前記選択された前記編集対象の前記個人の発信情報と関連付けて、前記蓄積部に蓄積する編集手段と、
を備える情報蓄積編集装置を提供する。
【０００９】
上述の構成のこの発明によれば、ユーザ個人が発信した電子メールや、例えばブログ、ツイッター、電子メール、チャット、ＳＮＳ(Social  Networking  Service)などのＣＧＭ（Consumer  Generated  Media）に発信した情報などの個人の発信情報は、蓄積手段により、当該ユーザ個人の識別情報と対応付けられて蓄積部に蓄積される。
【００１０】
さらに、この発明によれば、ユーザは、検索用キーワードを指定して、検索手段により所定の検索を行うことができる。そして、その検索の結果は、編集手段により、蓄積手段に蓄積された個人の発信情報中の、検索用キーワードが関連する個人の発信情報に関連付けられて挿入されて蓄積部に蓄積される。
【発明の効果】
【００１１】
この発明によれば、ユーザは、例えば自分史を作成しようとしたときに、曖昧な記憶に頼ることなく、蓄積部に蓄積された過去の自分の発信情報を基にすることができる。さらに、自分の発信情報と、当該発信情報の発信時間及び検索用キーワードに基づいて検索した情報とが対応付けられて蓄積されているので、自分が発信情報を発信したときの社会情勢（世情）を捉えることができ、例えば自分史の作成に有益な情報となる。また、検索結果として蓄積された情報から世情が捉えられると、記録された自分の発信情報の内容が記憶として甦ってくるという利点もある。
【００１２】
さらに、蓄積部に蓄積された個人の発信情報および検索結果の情報とは、時間経過に沿った読み物としても利用価値の高いものである。
【図面の簡単な説明】
【００１３】
【図１】この発明による情報蓄積編集装置の一実施形態を含む情報通信システム全体の構成を示す図である。
【図２】この発明による情報蓄積編集装置の一実施形態の構成例を示すブロック図である。
【図３】この発明による情報蓄積編集装置の一実施形態の構成を説明するために用いる図である。
【図４】この発明による情報蓄積編集装置の一実施形態の構成を説明するために用いる図である。
【図５】この発明による情報蓄積編集装置の一実施形態における編集処理動作例の流れを説明するために用いる図である。
【図６】この発明による情報蓄積編集装置の一実施形態における編集処理動作例を説明するために用いる図である。
【図７】この発明による情報蓄積編集装置の一実施形態における編集処理動作例の流れを説明するために用いる図である。
【図８】この発明による情報蓄積編集装置の一実施形態における処理動作例の流れを説明するためフローチャートの一部を示す図である。
【図９】この発明による情報蓄積編集装置の一実施形態における処理動作例の流れを説明するためフローチャートの一部を示す図である。
【図１０】この発明による情報蓄積編集装置の一実施形態における処理動作例の流れを説明するためフローチャートの一部を示す図である。
【図１１】この発明による情報蓄積編集装置の一実施形態における処理動作例の流れを説明するためフローチャートの一部を示す図である。
【図１２】この発明による情報蓄積編集装置の一実施形態における処理動作例の流れを説明するためフローチャートの一部を示す図である。
【図１３】この発明による情報蓄積編集装置の一実施形態における処理動作例の流れを説明するためフローチャートの一部を示す図である。
【図１４】この発明による情報蓄積編集装置の一実施形態における処理動作例の流れを説明するためフローチャートの一部を示す図である。
【図１５】この発明による情報蓄積編集装置の一実施形態における処理動作例の流れを説明するためフローチャートの一部を示す図である。
【図１６】この発明による情報蓄積編集装置の一実施形態における閲覧処理動作例の流れを説明するためフローチャートの一部を示す図である。
【図１７】この発明による情報蓄積編集装置の一実施形態における閲覧処理動作例の流れを説明するためフローチャートの一部を示す図である。
【図１８】この発明による情報蓄積編集装置の一実施形態における閲覧処理動作例の流れを説明するためフローチャートの一部を示す図である。
【発明を実施するための形態】
【００１４】
以下、この発明による情報蓄積編集装置の実施形態を、図を参照しながら説明する。
【００１５】
図１は、この発明による情報蓄積編集装置の実施形態を含む情報通信システム全体の構成を示す図である。この例の情報通信システムにおいては、この発明による情報蓄積編集装置の実施形態は、通信ネットワークの例としてのインターネット１に接続されるＷｅｂサイトの一つを構成するサーバ装置からなる。
【００１６】
すなわち、図１において、インターネット１に対して接続されているライフログサイト２は、この発明による情報蓄積編集装置の実施形態を構成するサーバ装置を備える。ここで、この明細書では、個人がインターネットを通じて発信する情報を、その発信時間と対応付けて記録する履歴情報をライフログと呼ぶことにする。ここで発信時間とは、発信時の何月日および時分秒からなるものである。また、後述するように、ライフログサイト２が備えるサーバ装置を、ライフログ蓄積編集サーバと呼ぶことにする。
【００１７】
パーソナルコンピュータの普及およびインターネット環境の充実に基づき、ブログ、ツイッター、チャット、ＳＮＳなどのＣＧＭが、個人が情報発信するメディアとして急速に発展してきている。また、通信ネットワークに対して個人が情報発信をするメディアとしては、ホームページや電子メールなどもある。
【００１８】
インターネット１に対しては、ユーザ用のパーソナルコンピュータ（以下、パソコンと略称する）３の他に、種々のＣＧＭのサイトが接続されている。図１の例では、ＣＧＭのサイトの例として、ブログサイト４、ツイッターサイト５、ＳＮＳサイト６、さらには、写真・動画サイト７がインターネット１に対して接続されている。
【００１９】
この実施形態では、ユーザは、ライフログサイト２に対して会員登録する。会員となったユーザ（会員ユーザ）は、このライフログサイト２を通じて、各種のＣＧＭを利用したり、電子メールなどの個人の情報発信をしたりすることができるように、ライフログサイト２のライフログ蓄積編集サーバが構成されている。
【００２０】
この図１の例においては、ライフログサイト２のライフログ蓄積編集サーバは、サイト４〜７の全てに対してユーザがアクセスすることができるように、ブックマークレットやアドオン、プラグインなどをユーザに提供するように構成されている。
【００２１】
すなわち、ユーザがライフログサイト２にアクセスして会員登録すると、ライフログ蓄積編集サーバは、電子メール、ブログ、ツイッター、ＳＮＳ、写真・動画投稿など、ユーザが情報発信することができるサービスを案内する。ユーザが、そのうちから自分が利用しようとする情報発信サービスメディアを選択すると、ライフログ蓄積編集サーバは、当該情報発信サービスメディア用のアプリケーションプログラム（専用アプリケーション）を会員ユーザの端末（この例ではパソコン３）に提供して、当該端末にインストールさせる。
【００２２】
会員ユーザは、このインストールされた専用アプリケーションのそれぞれについての初期設定において、ユーザＩＤおよびパスワードをライフログ蓄積編集サーバに登録する。その後、会員ユーザは、このインストールされた専用アプリケーションを立ち上げることにより、ライフログサイト２のライフログ蓄積編集サーバを通じて、選択した情報発信を実施することができる。
【００２３】
ライフログサイト２のライフログ蓄積編集サーバは、会員ユーザが、ブログやチャット、ツイッター、また、電子メールやホームページへの書き込み、写真・動画投稿などの情報発信を行うと、その発信された情報と発信時間の情報とを、ライフログとして各会員ユーザ毎、つまり、会員ユーザの識別子（会員登録番号など）に対応付けて蓄積する。
【００２４】
また、ライフログサイト２のライフログ蓄積編集サーバは、各会員ユーザからの指示に応じて、蓄積されている各会員ユーザのライフログに関連する情報を、インターネット１を通じて外部の検索用のサイトから取得して、ライフログに挿入することができるように構成されている。なお、ライフログサイト２のライフログ蓄積編集サーバ内に、ライフログに関連する情報のデータベースを備える場合には、そのデータベースを検索することで必要な情報を取得することも勿論できる。
【００２５】
図１の例では、検索用のサイトの例として、写真・動画サイト７、世の中情報提供サイト８、用語辞典サイト９、地図提供サイト１０、気象情報提供サイト１１、音楽情報提供サイト１２、人工無能サイト１３などが接続されている。
【００２６】
写真・動画サイト７は、ユーザにより投稿（アップロード）された写真や動画を、細かく分類したジャンル毎に、蓄積して管理するサイトである。
【００２７】
写真・動画サイト７は、ジャンルとして、例えば、
「列車、駅舎、桜、山、城、釣り、寺社、仏閣、仏像、国宝、世界遺産、眺望、山、川、渓谷、釣り、ダイビング、島、岬、港、海岸、船、飛行機、車、バイク、サッカー、野球、バレーボール、アイスホッケー、プロゴルフ、建造物、コンサート、芸能人生写真、骨董、美術品、祭り、運動会、学芸会、卒業式、入学式、竜巻、火災、洪水、動物、ペット犬、ペット猫、他ペット、スキー、スケート、オリンピック、ワールドカップ、５０年前の風景、噴水、遊園地、湖沼、大自然、夕焼け、日の出、月食、日食、草花、野鳥、風物詩、心霊スポット、大木、農村、春、夏、秋、冬、空、地平線、水平線、名物、観光スポット、古民家、現代建築、橋、塔、流星、夜空、雲、オーロラ、流氷、水槽、熱帯魚、魚介類、ジオラマ、結婚記念、子供、女性、人物、料理、航空写真、衛星写真、記念、衣装、パフォーマンス、決定的瞬間、コンテスト、ショー、コンパニオン、馬、牛、天体、アンティーク、人形、亀、爬虫類、昆虫、庭園、像、陶芸、遺跡、記念碑、コスプレ、絶景、ボクシング、レスリング、キックボクシング、総合格闘、展望、面白、紅茶、空手、柔道、剣道、合気道、乗り物、模型、ラジコン、ポスター、看板、照明、イルミネーション、ライトアップ、ギミック、イケメン、体操、新体操、シンクロナイズトスイミング、絵画、彫刻、古木、盆栽、生誕の地、発祥の地、露天風呂、火口、頂上、原生林、サバイバル、ＰＣの分解と組み立て、看板娘、マドンナ、観光大使、家屋、造形、巡礼、古戦場、ドラマロケ地、映画ロケ地、社会見学スポット、洞窟、鍾乳洞、天然記念物、ホタル、旧跡、廃村、廃工場、廃校、駅弁、ラーメン、フレンチ、イタリアン、和食、中華、蕎麦、うどん、お好み焼き、うなぎ、カニ、フグ、グルメ、Ｂ級グルメ、地方料理、各国料理、演芸場、劇場、映画館、鉱山、ダム、芸能人、選手、有名人、民族、風習、行事、幼子、笑顔、行列、マスゲーム、美女軍団、応援、観衆、ファン、サポーター、騒動、惨劇、野次馬、新発見、ほのぼの、授賞式、新製品、幻の逸品、絶妙なアングル、社会現象、めずらしい、ビックリ、あり得ない、国宝、人間国宝、ベイビー、仲間、家族、友人、悪戯、超常現象、心霊写真、念写、ＵＦＯ、宇宙人、ロケット、基地、旅芸人、飲み会、余興、学園祭、痛車、泉、涙、感動、晴舞台、ブサイクな○○、隠し撮り、ああ驚いた、絶句、変身、ドッキリカメラ、うっかり、油断」
などを用意しており、ジャンルを非常に細分化してマニア度をアップさせている。
【００２８】
投稿される写真や動画には、Ｅｘｉｆ（Exchangeable  image  file  format  for  digital  still  cameras）情報が付加されており、このＥｘｉｆ情報から、撮影時間、撮影場所、撮影カメラの機種、露出、ホワイトバランスなどの情報を得ることができる。
【００２９】
また、写真・動画サイト７では、ユーザが画像を投稿したときに、画像データのリサイズ（アップコンバージョンやダウンコンバージョン）を自動的に行うように構成されている。また、写真・動画サイト７では、ユーザが画像を投稿したときに、そのサムネイル画像を自動的に作成するようにしている。さらに、写真・動画サイト７は、ユーザが画像を投稿する際に、当該投稿画像に関連するコメントやつぶやきを残すことができるように、構成されている。
【００３０】
この写真・動画サイト７のユーザは、登録制（会員制）とされるが、ライフログサイト２を通じて、この写真・動画サイト７にアクセスするユーザは、自動的に会員登録されるように構成されている。
【００３１】
ライフログサイト２の会員ユーザは、前述したように、自分の端末（パソコン３）から、ライフログ蓄積編集サーバを通じてこの写真・動画サイト７にアクセスして、写真や動画を投稿することができる。
【００３２】
そして、この写真・動画サイト７は、例えば撮影時間や撮影場所などからなる検索用キーワードを含む検索要求を受信すると、Ｅｘｉｆ情報などから当該キーワードに該当する写真や動画を検索し、その検索結果を検索要求側に返すようにする。また、写真・動画サイト７は、投稿された写真や動画に付随して送られてくるＥｘｉｆ情報から得た撮影時間や撮影場所などをキーワードとして他のサイトを検索し、その検索結果を投稿された写真や動画に付随して蓄積しておく機能も備える。
【００３３】
世の中情報提供サイト８は、時間情報や位置情報を検索用キーワードとして検索要求されたとき、指定された時点および場所におけるニュースヘッダ、指定された時点における為替レート、日経平均株価、ヒットしている曲や映画、その時点における指定された場所の天候、気温、湿度などを検索結果として返すようにするサイトである。つまり、世の中情報提供サイト８は、世の中の出来事に関する情報を、日時および場所に関連付けて蓄積するデータベースを備え、日時および場所などを検索用キーワードとして含む検索要求を受信すると、そのキーワードに該当する情報を検索し、その検索結果を検索要求側に返すものである。
【００３４】
用語辞典サイト９は、政治、経済、自然科学、生活などの各分野における用語の意味や関連説明などを提供するサイトである。用語辞典サイト９は、検索用キーワードとして指定された用語を含む検索要求を受信すると、その用語の意味や関連説明を検索して、検索要求側に返す。
【００３５】
地図提供サイト１０は、日本および外国の地図を提供するサイトである。地図提供サイト１０は、検索用キーワードとして場所の情報を含む検索要求を受信すると、その場所を中心とした周辺地図を検索して、検索要求側に返す。
【００３６】
気象情報提供サイト１１は、時間と場所とを検索用キーワードとして含む検索要求を受信すると、そのキーワードとして指定された時間および場所の気象情報（天候、温度、湿度、風力など）を提供するサイトである。
【００３７】
音楽情報提供サイト１２は、世の中に提供された音楽情報を蓄積しているサイトであり、楽曲名、演奏者、歌手などのジャンルをキーワードとして検索することができると共に、「１９８０年５月２０日頃流行していた楽曲」、「１９９０年１０月１０日のオリコン上位曲」などのような検索子として、対応する楽曲の検索ができるようにされている。この音楽情報提供サイト１２は、例えば時間やジャンルなどからなる検索用キーワードを含む検索要求を受信すると、当該キーワードに該当する写真や動画を検索し、その検索結果を検索要求側に返すようにする。
【００３８】
人工無能サイト１３は、与えた文面（発言）の中のキーワードに反応して適当な対応（返事）を返すサイトである。人工無能は、この例のような一つのサイトとして設けるのではなく、ライフログサイト２のライフログ蓄積編集サーバに、プログラムの一つして備えておくこともできる。
【００３９】
なお、図１において、ユーザ用のパソコン３は、インターネット１を利用するユーザの数だけ存在する多数のパソコンの一つを代表して示したものであって、特定のパソコンを示したものではない。同様に、種々のサイト４〜１３も、それぞれ１個ずつ示したが、インターネット１に接続される同種のサイトの一つを代表して示したものであり、同種のサイトがインターネット１に対して複数個接続されるものであることは言うまでもない。
【００４０】
［ライフログ蓄積編集サーバ（情報蓄積編集装置の実施形態）の構成例］
図２に、ライフログサイト２に設けられるライフログ蓄積編集サーバ２０（以下、サーバ２０と略称する）の構成例のブロック図を示す。このサーバ２０は、コンピュータにより構成されている制御部１０１に対して、システムバス１００を通じて、通信インターフェース１０２と、会員情報記憶部１０３と、ホームページサービス機能部１０４と、電子メールサービス機能部１０５と、ＣＧＭサービス機能部１０６と、ライフログ蓄積部１０７と、ライフログ編集支援部１０８とが接続されて構成されている。ＣＧＭサービス機能部１０６は、会員ユーザによるブログ、ツイッター、ＳＮＳ、また、写真・動画投稿を支援するためのものである。
【００４１】
通信インターフェース１０２は、インターネット１に接続される。この通信インターフェースは、会員ユーザからのアクセスを受けると共に、会員ユーザに、個人の情報発信のためのＷｅｂページや、ライフログを編集するためのＷｅｂページ、その他を提供するために用いられる。
【００４２】
会員情報記憶部１０３には、当該サーバ２０に会員登録されたユーザの氏名、住所、生年月日、職業などの個人属性が記憶される。また、この実施形態では、会員情報記憶部１０３には、ライフログサイト２の会員ユーザがこのサーバ２０を通じて情報発信するメディアに関するユーザＩＤおよびパスワードが、各会員ユーザの会員識別子（会員ＩＤ）に対応付けられて記憶されている。
【００４３】
すなわち、前述したように、サーバ２０から電子メール、ブログ、ツイッター、ＳＮＳ（写真・動画投稿を含む）の各情報発信メディアの専用アプリが、会員ユーザのパソコン３に提供され、会員ユーザは、各情報発信メディアの専用アプリについて、ユーザＩＤおよびパスワードを登録する。会員情報記憶部１０３には、図３に示すように、各会員ユーザの会員ＩＤに対応付けられて、電子メール、ブログ、ツイッター、ＳＮＳ（写真・動画投稿を含む）の各情報発信メディアについて登録されたユーザＩＤおよびパスワードの情報が記憶されている。
【００４４】
会員ユーザは、上述したように、自分のパソコン３において、ライフログサイト２から提供された情報発信メディア用の専用アプリケーションを立ち上げて、当該専用アプリケーションを用いて情報発信をする。
【００４５】
サーバ２０は、会員ユーザによる情報発信があったときには、その情報発信の際に、パソコン３から送られてくるユーザＩＤおよびパスワードと会員情報記憶部１０３の図３の記憶情報とを比較参照して認証を行い、認証がＯＫであるときに当該情報発信のアクセスを受け付ける。そして、サーバ２０は、上記認証の結果により、いずれの会員ユーザによる発信であるかを判別し、判別した会員ユーザのライフログ会員ＩＤ（以下、単に会員ＩＤという）に対応付けて、その発信情報を、その発信時間と共に、ライフログ蓄積部１０７に記憶する。
【００４６】
図４に、ライフログ蓄積部１０７に蓄積されたライフログの例を示す。この図４の例は、ライフログ蓄積部１０７の蓄積情報のうち、会員ＩＤが会員登録番号Ｎｏ．００・・１である会員ユーザ「山田太郎」のライフログの一部を示すものである。図４に示すように、ライフログは、時間経過順に、会員ユーザ「山田太郎」により発信されたメール、ツイッター、ブログ、ホームページの書き込み・・・というように、発信時間と対応付けられて蓄積される。図４において、「メール」、「ツイッター」、「ブログ」、「ホームページ（日記）」と記載した点線で囲んだ部分には、発信されたテキスト文字による語句や文章、貼り付けられた写真などが実際には記録されている。
【００４７】
ライフログ蓄積部１０７には、サーバ２０に会員登録された全ての会員ユーザのライフログが、図４のような形式で蓄積記録されるものである。
【００４８】
なお、会員ユーザは、サーバ２０にアクセスして、ライフログの編集用のＷｅｂページから要求することにより、図４のような表示態様で、自分のライフログを見ることができる。そして、会員ユーザは、その自分のライフログを参照しながら、後述する編集操作をすることができる。
【００４９】
ホームページサービス機能部１０４は、会員ユーザが作成したホームページを管理して、他のユーザへの閲覧のサービスを行う機能部である。会員ユーザは、サーバ２０にアクセスして、このホームページサービス機能部１０４の支援を受けながら、ホームページ中の日記を更新するなどのホームページの更新をすることができる。なお、制御部１０１は、このホームページ中の日記の更新の書き込みを検知すると、当該書き込まれた情報を、ライフログとして、その書き込み時間情報と対応付けて、図４に示したように、ライフログ蓄積部１０７に蓄積する。
【００５０】
電子メールサービス機能部１０５は、会員ユーザが当該サーバ２に登録したメールアカウントが用いられる電子メールの送受信サービスを実行する。そして、制御部１０１は、会員ユーザにより当該メールアカウントを用いる発信がなされたことを検知すると、当該発信メールの内容を、その発信時間の情報と対応付けて、ライフログとして、図４に示したように、ライフログ蓄積部１０７に蓄積する。
【００５１】
ＣＧＭサービス機能部１０６は、会員ユーザによる、このサーバ２０を通じた各種のＣＧＭに対するアクセスを支援する機能部である。会員ユーザが、サーバ２０のＷｅｂページから、各種ＣＧＭに対して情報発信をしたことを検出すると、制御部１０１は、当該発信した情報を、その発信時間の情報と対応付けて、ライフログとして、図４に示したように、ライフログ蓄積部１０７に蓄積する。
【００５２】
ライフログ蓄積部１０７は、上述したようなライフログの蓄積部であって、例えば１または複数個のハードディスク装置や不揮発性の半導体メモリ装置で構成される。
【００５３】
ライフログ蓄積部１０７に、インターネットへの個人の発信情報を発信時間の情報と共に、順次に履歴として蓄積しておくだけでも、自分史や伝記を作成する際の資料とはなりえるし、記憶を呼び起こす基とすることができる。しかし、個人の発信情報のみでは、信憑性に関して裏が取りにくいという側面があり、主観に偏り勝ちとなる。また、個人の発信情報の中には、その時間時点における社会的背景に基づく場合もあり、自分が発信した情報であっても、どのようなことを発信しているかが分かり辛いこともある。さらに、蓄積されたライフログを読み物として考えたときに、面白みに欠けるという側面もある。
【００５４】
そこで、この実施形態では、個人の発信情報の編集を可能にしている。例えば、個人の発信情報に関連する社会での出来事や、用語説明、地図、写真や動画などの情報を検索して追加挿入することできるようにしている。また、この実施形態では、社会的な出来事などからそれに関連する自分の発信情報を検索して、追加挿入することができるようにしている。
【００５５】
ライフログ編集支援部１０８は、この編集のためのもので、ライフログ蓄積部１０７に蓄積された発信情報からなる情報に対して、会員ユーザの指示操作に応じて関連する情報を検索してライフログ情報として追加したり、不必要な発信情報を削除したりするなどの編集処理を支援する機能部である。
【００５６】
このため、ライフログ編集支援部１０８は、検索部１１０と、編集部１１１とを備えている。検索部１１０は、会員ユーザにより選定されたキーワードにより選定された検索先を検索してその検索結果を取得する機能を備える。編集部１１１は、検索部１１０により取得した１又は複数の検索結果から、会員ユーザにより選択決定された検索結果を、それと関連する発信情報に関連付けてライフログとして追加挿入する。
【００５７】
ここで、検索結果と発信情報とを関連させた追加挿入方法は、発信情報の直前または直後に、関連する検索結果を直接に挿入する方法の他、発信情報に関連する情報は、別途に記憶しておくと共に関連情報有りを表示し、当該関連情報の要求をすると、ユーザが視聴できる方法であっても良い。以下に説明する実施形態では、前者の場合を採用している。
【００５８】
なお、このライフログ編集支援部１０８は、制御部１０１のコンピュータがそのソフトウエア機能部の一部として構成することも可能である。
【００５９】
［ライフログの編集例］
前述したように、この実施形態では、会員ユーザは、ライフログとして蓄積された個人の発信情報を削除することができると共に、個人の発信情報に関連する情報をライフログとして追加挿入することができる。会員ユーザが不必要とする個人の発信情報の削除に関しては、当該削除しようとする個人の発信情報を会員ユーザが指定して削除要求をするだけの処理であるので、その詳細な説明は省略し、以下の説明では、関連情報の追加挿入に関してのみ述べることにする。
【００６０】
この実施形態では、会員ユーザは、自分の発信情報を基に、自分の発信情報以外の関連情報を検索して編集をする場合と、自分の発信情報以外の例えば社会の出来事や場所などを基に、関連する自分の発信情報を検索して編集する場合の２通りの編集方法を選択することができる。会員ユーザは、サーバ２０にアクセスして編集用Ｗｅｂページを取得し、その編集用Ｗｅｂページでいずれの編集をするかを選択し、それぞれの編集方法を実行することができる。
【００６１】
〔自分の発信情報を基にした編集〕
図５を参照しながら、自分の発信情報を基にした編集について説明する。
【００６２】
会員ユーザが、パソコン３から編集用Ｗｅｂページで自分の発信情報を基にした編集をサーバ２０に要求すると、サーバ２０は、要求した会員ユーザのその時点におけるライフログ情報を会員ユーザのパソコン３に送る。
【００６３】
会員ユーザは、受け取った自分のライフログ情報をパソコン３の表示画面上でスクロールさせ、自分が編集したい発信情報をパソコン３の表示画面上に表示させる（図５の四角枠３１内参照）。図５の例では、会員ユーザにより、蓄積されていたライフログのうちからホームページの日記の「今日、新宿の病院で長男が誕生した。・・・」が編集対象として選択されている。
【００６４】
次に、会員ユーザは、編集用Ｗｅｂページにある「検索項目」アイコンを選択する。すると、この実施形態では、パソコン３の表示画面には、図６に示すような検索項目の一覧がプルダウンメニューとして表示される。
【００６５】
この図６の検索項目の一覧例は、検索用のキーワードと、当該キーワードでの検索対象の検索項目との対応を、一覧表示した例である。この例では、会員ユーザにより、この検索項目の一覧の一番上の検索用のキーワード「時間」とその検索項目の組み合わせが選択された場合には、会員ユーザが時間を選択しなくても、サーバ２０は、会員ユーザが選択した個人の発信情報の発信時刻をキーワードとして、組み合わせとして指定される検索項目のそれぞれを検索する。この検索例は、例えば、その情報の発信時間（発信年月日のみでも良い）に世の中ではどんな出来事があったのだろうと会員ユーザが考えたときに、選択される。したがって、検索項目としては、例えば、「当日のニュースヘッダ、為替レート、日経平均株価、オリコンヒット曲、ヒットしていた映画やテレビドラマ、・・・」などが挙げられる。したがって、この検索が選択された場合には、会員ユーザは、編集対象の自分の発信情報を選択して、検索実行を指示すると、サーバ２０は、要求された検索を実行する。
【００６６】
また、図６の検索項目の一覧の２番目の検索用のキーワード「時間と場所」とその検索項目の組み合わせについては、キーワード「時間」に関しては、キーワード「時間」のみの場合と同様に、会員ユーザが時間を選択しなくても、サーバ２０は、会員ユーザが選択した個人の発信情報の発信時刻（年月日時分秒）を、指定されたキーワード「時間」と判断する。そして、サーバ２０は、さらに会員ユーザにより指定された「場所」のキーワードと組み合わせて検索を行う。この場合の検索項目は、前述のキーワード「時間」の検索項目にキーワード「場所」に関する検索項目が加わったものとされ、例えば、「当日のニュースヘッダ、為替レート、日経平均株価、オリコンヒット曲、ヒットしていた映画やテレビドラマ、・・・」に加えて、キーワード「場所」の「天候、気温、湿度、開催されていたイベント・・・」などとされる。この検索が選択された場合には、会員ユーザが、編集対象の自分の発信情報を選択すると共に、当該発信情報中の場所をキーワードとして指摘した後、検索実行を指示すると、サーバ２０は、要求された検索を実行する。
【００６７】
また、この実施形態では、会員ユーザが自分の発信情報中の場所を指定することで、サーバ２０が、検索項目として当該場所を中心とした地図を探し出して、会員ユーザに提供する検索も用意されている。
【００６８】
また、この実施形態では、会員ユーザが自分の発信情報の文面中の文字列をキーワードとして指定することができると共に、その指定されたキーワードに対して行う検索項目が複数個用意されている。これらの検索が選択された場合には、会員ユーザが、自分の発信情報の文面中の文字列をキーワードとして指定すると、その文字列がハイライトされ、その状態で、会員ユーザが検索実行を指示すると、サーバ２０は、要求された検索を実行する。この検索の例としては、図５に示されているように、指定されたキーワードについての用語説明、関連する動画や写真、全てのサイトなどを検索対象とする、などが挙げられる。
【００６９】
また、さらに、この実施形態では、ライフログを読み物として面白いものとするために、キーワードを用いて「人工無能」に対して問いかけを行い、その返事を検索結果として取得することもできる。
【００７０】
サーバ２０での検索の結果は、１個のみが提供される場合もあるが、複数個が提供される場合も多々ある。そして、会員ユーザが望むものではないものを含む場合もある。この実施形態では、サーバ２０での検索結果の全てをライフログに追加挿入のではなく、会員ユーザが検索結果から選択したもののみを、ライフログに追加挿入することができる。
【００７１】
図５の例では、検索項目の一覧において、会員ユーザはキーワード「時間および場所」を選択し（図５の符号３２四角枠内参照）、場所として発信情報中の「新宿」を選択したので、「新宿」の文字がハイライト表示されている場合を示している。
【００７２】
そして、会員ユーザの検索実行の指示に応じてサーバ２０は、検索を実行し、その検索結果（図５の符号３３四角枠参照）を、会員ユーザのパソコン３に送る。会員ユーザは、その検索結果の中から、ライフログとして残すものを選択して、選択したものをクリップボードに貼り付ける（図５の符号３４四角枠内参照）。
【００７３】
この状態で、会員ユーザが「挿入」を指示すると、サーバ２０は、会員ユーザにより選択されている発信情報（ホームページの日記）に関連して、すなわち、ホームページの日記の直後に、クリップボードに貼り付けられている検索結果の情報を、ライフログに追加挿入する（図５の符号３６参照）。この例の場合には、検索結果の情報（図５の符号３６参照）は、検索用キーワードが選定された基となった発信情報（図５の符号３１参照）の直後に挿入されることにより、当該発信情報に関連付けられる。
【００７４】
なお、検索結果の情報を、そのままライフログに挿入することもできるが、予め検索項目が決定されている場合には、その検索結果を挿入することで完成する文章とすることができる。この場合に、会員ユーザに選択されなかった検索項目については、空白にしておけば良い。
【００７５】
すなわち、図５の例では、サーバ２０は、「突然ですが、今日の「新宿」の天気は「晴れ」、気温は「３５℃」、ニュースヘッダは、「・・・・・」で、為替レートは「１ドルが１１０円」、・・・」とする文章を作成し、それをライフログとして追加挿入する。
【００７６】
また、検索結果を人工無能のサイト１３に送って、その返事を、検索結果に代えて、あるいは検索結果と併せて、関連する発信情報に関連付けて記録するようにしても良い。
【００７７】
なお、編集により追加する個人の発信情報に関連する情報の他の例について説明する。例えば、会員ユーザが「ホームページの日記」に、「今日、私と妻は、結婚１０周年で、インドネシアのバリ島に飛行機で飛び立つ。」と記載されていたとする。
【００７８】
そして、この場合に、会員ユーザが、その日（情報の発信時間）に世の中ではどんな出来事があったのだろうと考え、時間のみをキーワードとした検索を実行する。すると、サーバ２０は、世の中情報提供サイト８に対してそのキーワードを渡して検索を実行し、その検索結果を得る。会員ユーザは、その検索結果の中からライフログとして残そうと希望するものを選択し、当該選択した情報を、当該会員ユーザのライフログの「ホームページの日記」の直後に、追加挿入する。
【００７９】
また、会員ユーザは、インドネシアのバリ島について地図が欲しいと考え、キーワードを「バリ島」として、地図の検索をサーバ２０に要求したとする。すると、サーバ２０は、キーワード「バリ島」を地図提供サイト１０に渡して検索を実行し、その検索結果として地図情報を得、それを会員ユーザのパソコン３に送る。会員ユーザは、その地図情報を当該会員ユーザのライフログの「ホームページの日記」の直後に、追加挿入することができる。
【００８０】
また、会員ユーザは、バリ島についての写真も欲しいので、キーワードを「バリ島」として、写真の検索要求をする。すると、サーバ２０は、キーワード「バリ島」を写真・動画サイト７に渡して検索を実行する。写真・動画サイト７では、Ｅｘｉｆ情報やコメント情報からキーワード「バリ島」を満足する写真や動画を検索し、サーバ２０を通じて会員ユーザのパソコン３にその検索結果としての写真や動画を送る。会員ユーザは、その検索結果の中からライフログとして残そうと希望するものを選択し、当該選択した情報を、当該会員ユーザのライフログの「ホームページの日記」の直後に、追加挿入する。
【００８１】
なお、一つのキーワードに対して、会員ユーザは全てのサイトを検索対象とする要求をすることもできる。その検索は、図６において「クロール」として示した場合である。この場合には、サーバ２０は、世の中情報提供サイト８、用語辞典サイト９、地図提供サイト１０、気象情報提供サイト１１、写真・動画サイト７、音楽情報提供サイト１２などの全てのサイトを検索対象として検索を行い、その検索結果を会員ユーザのパソコン３に送るようにする。
【００８２】
なお、以上の例では、キーワードは、自分の発信情報の発信時間あるいは個人情報から選択した語句としたが、会員ユーザが、新たにキーワードを入力することもできる。その場合には、当該入力されたキーワードが、会員ユーザが選択中の発信情報に関連するものとして扱われ、その検索結果も、当該選択中の発信情報に関連して追加挿入される。
【００８３】
〔自分の発信情報以外の例えば社会の出来事や場所などを基にした編集〕
例えば、ある会員ユーザが、「２年前に日光に紅葉見物に出かけたが、何時ごろだったか正確には覚えていない。日光の紅葉の記事や写真を、ライフログに追加したい。」と考えた場合を想定する。この場合の編集を、図７の流れ図を参照しながら説明する。
【００８４】
この例のおいては、会員ユーザは、まずサーバ２０にアクセスしてライフログの編集用Ｗｅｂページを取得し、自分の発信情報以外に基づく編集を選択する。次に、会員ユーザは、例えば、時間のキーワードとして「２００８年」を、場所のキーワードとして「日光」を、その他のキーワードとして「紅葉」をそれぞれ指定して（図７の符号４１参照）、サーバ２０に検索要求をする。
【００８５】
すると、サーバ２０は、指定されたキーワードを検索子にしてインターネット１上における検索をする。そして、サーバ２０は、その検索結果（図７の符号４２参照）を検索要求してきた会員ユーザのパソコン３に送信する。
【００８６】
会員ユーザは、受け取った検索結果の中から、自分がライフログに残したい情報を選択してクリップボードに貼り付けておく（図７の符号４３参照）。
【００８７】
次に、会員ユーザは、この例では、発信情報以外の情報を検索するために指定したキーワードと同じキーワード、すなわち、「２００８年」、「日光」および「紅葉」をキーワードとして、自分のライフログの検索要求をサーバ２０に対して行う（図７の符号４４参照）。ここで、サーバ２０は、「２００８年」、「日光」および「紅葉」の全てのキーワードを満足するライフログを検索するようにしても良いが、いずれかのキーワードのみを満足するライフログを検索結果とするようにしても良い。
【００８８】
この検索の結果は、サーバ２０から会員ユーザのパソコン３に送られて表示される。そして、会員ユーザは、その検索結果の中から、個人の発信情報以外の情報を関連させたい発信情報を選択する（例えば図７の符号４５参照）。そして、会員ユーザは、挿入指示をサーバ２０に送る。
【００８９】
すると、サーバ２０は、当該会員ユーザのライフログにおいて、当該会員ユーザにより選択された、個人の発信情報以外の情報を関連させたい発信情報（図７の符号４６参照）の直後に、ライフログとして残したいとして検索し選択した個人の発信情報以外の情報（図７の符号４７参照）を追加挿入する。
【００９０】
以上は、個人の発信情報以外の情報を基にした編集の一例であり、この例に限られるものではない。例えば、所定の場所の地図を取得しておき、その地図を関連付けたい個人の発信情報を、その地図に関連する場所に限らず、会員ユーザが指定したキーワードに基づき検索するようにしても良い。動画や写真なども同様にして、ライフログに挿入することができる。
【００９１】
〔サーバ２０の制御部１０１の処理動作例〕
以下に、以上説明したサーバ２０におけるライフログの蓄積処理動作および編集処理動作における制御部１０１による処理動作の流れを、図８〜図１５のフローチャートを参照しながら説明する。
【００９２】
すなわち、サーバ２０の制御部１０１は、インターネット１を通じた会員ユーザからのアクセスの受信を待つ（ステップＳ１）。このステップＳ１で、インターネット１を通じたアクセスを受信したと判別したときには、制御部１０１は、受信したのは個人の発信情報のアクセスであるか否か判別する（ステップＳ２）。
【００９３】
このステップＳ２で、個人の発信情報のアクセスであると判別したときには、制御部１０１は、図３に示したユーザＩＤとパスワードとを用いて、登録された会員からの発信情報であるか否かの認証処理を行い（ステップＳ３）、認証がＯＫであるか否か判別する（ステップＳ４）。
【００９４】
ステップＳ４で認証がＮＧであると判別したときには、制御部１０１は、認証ＮＧをアクセス者側に送信して（ステップＳ５）、この処理ルーチンを終了し、アクセス者との通信路は切断する。ステップＳ４で、認証がＯＫであると判別したときには、制御部１０１は、個人の情報発信のサービス処理を実行し（ステップＳ６）。この際に、制御部１０１は、発信された情報をバッファメモリに一時保持するようにする。
【００９５】
次に、制御部１０１は、ステップＳ３およびステップＳ４において認証が取れた情報発信をした会員ユーザの会員ＩＤを識別する（ステップＳ７）。そして、制御部１０１は、ライフログ蓄積部１０７のうちの、識別した会員ＩＤの会員ユーザのライフログに、当該会員ユーザが発信した発信情報（バッファメモリに一時記憶されている）を追加記録する（ステップＳ８）。そして、制御部１０１は、この処理ルーチンを終了し、アクセス者との通信路は切断する。
【００９６】
また、ステップＳ２で、個人の発信情報のアクセスではないと判別したときには、制御部１０１は、アクセス者に対して会員であるかどうかの問い合わせのページを送信し（ステップＳ９）、その問い合わせに対する回答が会員であるか否か判別する（ステップＳ１０）。
【００９７】
ステップＳ１０において、アクセス者から会員ではないという回答があったと判別したときには、制御部１０１は、アクセス者のパソコン３に対して、会員以外用のサービス用Ｗｅｂページを送り、会員以外用の処理ルーチンを実行する（ステップＳ１１）。
【００９８】
ステップＳ１０において、アクセス者から会員であるという回答があったと判別したときには、制御部１０１は、アクセス者に対して会員ＩＤおよびパスワードを要求する（ステップＳ１２）。そして、制御部１０１は、アクセス者からの会員ＩＤおよびパスワードを監視して会員認証を行い（ステップＳ１３）、会員認証ができないときには、あるいは会員認証がＮＧであるときには、アクセス者により終了要求がなされたか否か判別する（ステップＳ１４）。
【００９９】
このステップＳ１４で、終了要求がなされてはいないと判別したときには、制御部１０１は、処理をステップＳ１２に戻し、このステップＳ１２以降の処理を繰り返す。また、ステップＳ１４で、終了要求がなされたと判別したときには、制御部１０１は、この処理ルーチンを終了し、アクセス者との通信路は切断する。
【０１００】
ステップＳ１３での会員認証の結果、認証がＯＫであると判別したときには、制御部１０１は、アクセス者のパソコン３に会員用のサービス用Ｗｅｂページを送信する（図９のステップＳ２１）。アクセス者は、このＷｅｂページからライフログの編集用ページへの移行要求をすることができるようにされている。
【０１０１】
次に、制御部１０１は、会員ユーザによりライフログの編集用ページへの移行が選択されたか否か判別する（ステップＳ２２）。
【０１０２】
このステップＳ２２で、ライフログ編集用ページへの移行が選択されてはいないと判別したときには、制御部１０１は、その他の処理を実行する（ステップＳ２３）。
【０１０３】
また、ステップＳ２２で、ライフログ編集用ページへの移行が選択されたと判別したときには、制御部１０１は、ライフログの編集用の初期画面ページを会員ユーザのパソコン３に送信し、編集を自分の発信情報に基づいて行うのか、自分の発信情報以外の社会の出来事などに基づいて行うのか、の選択を促す（ステップＳ２４）。
【０１０４】
そして、制御部１０１は、ステップＳ２４における問い合わせに対して、会員ユーザにより自分の発信情報を基にした編集が選択されたか否か判別する（ステップＳ２５）。このステップＳ２５で、自分の発信情報を基にした編集が選択されたと判別したときには、制御部１０１は、ライフログ蓄積部１０７に蓄積されている当該会員ユーザのライフログのデータを含む編集用ページ（以下、発信情報基準編集用ページという）を、当該会員ユーザのパソコン３に送信する（ステップＳ２６）。会員ユーザは、パソコン３の表示画面において、ライフログをスクロールしたり、発信時間を指定して検索したりして、ライフログのうちの自分が編集したい時間位置を指定する。会員ユーザのパソコン３の画面においては、その時間位置に対応する発信情報が例えば枠で囲まれて表示されるなど、他の発信情報と区別する表示がなされる。
【０１０５】
次に、制御部１０１は、この発信情報基準編集用ページにおいて、会員ユーザによりキーワードと検索項目とが選定されたことによるそれらのキーワードおよび検索項目の指定を含む検索要求を受信したか否か判別する（ステップＳ２７）。このステップＳ２７で、キーワードおよび検索項目の指定を含む検索要求を受信したと判別したときには、制御部１０１は、ライフログ支援部１０８の検索部１１０を起動させて、要求された検索を実行し、その検索結果を会員ユーザのパソコン３に送信する（ステップＳ２８）。
【０１０６】
このステップＳ２８に次には、制御部１０１は、会員ユーザのパソコン３から、送信した検索結果のうちから選択された検索結果の挿入要求を受信したか否か判別する（図１０のステップＳ３１）。
【０１０７】
このステップＳ３１で、挿入要求を受信したと判別したときには、制御部１０１は、ライフログ編集支援部１０８の編集部１１１により、ライフログのデータ中で、会員ユーザにより選択されている時間位置の発信情報の直後に、当該挿入要求された検索結果を追加挿入することで、当該発信情報に関連付けてライフログ蓄積部１０７に蓄積する（ステップＳ３２）。
【０１０８】
このステップＳ３２の次には、制御部１０１は、処理をステップＳ２２に戻し、このステップＳ２２以降の処理を繰り返す。
【０１０９】
また、ステップＳ３１で、挿入要求を受信してはいないと判別したときには、制御部１０１は、発信情報基準編集用ページの「戻る」アイコンが操作されたか否か判別し（ステップＳ３３）、操作されたと判別したときには、処理をステップＳ２２に戻し、このステップＳ２２以降の処理を繰り返す。
【０１１０】
また、ステップＳ３３で、「戻る」アイコンが操作されてはいないと判別したときには、制御部１０１は、発信情報基準編集用ページの「終了」アイコンが操作されたか否か判別し（ステップＳ３４）、「終了」アイコンが操作されてはいないと判別したときには、処理をステップＳ３１に戻し、このステップＳ３１以降の処理を繰り返す。また、ステップＳ３４で、「終了」アイコンが操作されたと判別したときには、制御部１０１は、この処理ルーチンを終了し、パソコン３との通信路を切断する。
【０１１１】
また、ステップＳ２５で、キーワードおよび検索項目の指定を含む検索要求を受信してはいないと判別したときには、制御部１０１は、会員ユーザにより入力された文字列と、それをライフログに追加挿入すべきとする挿入要求を受信したか否か判別する（図１１のステップＳ４１）。
【０１１２】
このステップＳ４１で、入力文字列と挿入要求を受信したと判別したときには、制御部１０１は、ライフログのデータ中で、会員ユーザにより選択されている時間位置の発信情報の直後に、当該挿入要求された入力文字列を追加挿入することで、当該発信情報に関連付けてライフログ蓄積部１０７に蓄積する（ステップＳ４２）。このステップＳ４２の次には、制御部１０１は、処理をステップＳ２２に戻し、このステップＳ２２以降の処理を繰り返す。
【０１１３】
また、ステップＳ４１で、入力文字列と挿入要求を受信してはいないと判別したときには、制御部１０１は、発信情報基準編集用ページの「戻る」アイコンが操作されたか否か判別し（ステップＳ４３）、操作されたと判別したときには、処理をステップＳ２２に戻し、このステップＳ２２以降の処理を繰り返す。
【０１１４】
また、ステップＳ４３で、「戻る」アイコンが操作されてはいないと判別したときには、制御部１０１は、発信情報基準編集用ページの「終了」アイコンが操作されたか否か判別し（ステップＳ４４）、「終了」アイコンが操作されてはいないと判別したときには、処理をステップＳ２５に戻し、このステップＳ２５以降の処理を繰り返す。また、ステップＳ４４で、「終了」アイコンが操作されたと判別したときには、制御部１０１は、この処理ルーチンを終了し、パソコン３との通信路を切断する。
【０１１５】
次に、ステップＳ２３で、自分の発信情報を基にした編集が選択されてはいないと判別したときには、制御部１０１は、自分の発信情報以外を基にした編集が選択されたか否か判別する（図１２のステップＳ５１）。
【０１１６】
このステップＳ５１で、自分の発信情報以外を基にした編集が選択されてはいないと判別したときには、制御部１０１は、ライフログの編集用の初期画面ページの「終了」アイコンが操作されたか否か判別し（ステップＳ５２）、「終了」アイコンが操作されてはいないと判別したときには、処理をステップＳ２３に戻し、このステップＳ２３以降の処理を繰り返す。また、ステップＳ５２で、「終了」アイコンが操作されたと判別したときには、制御部１０１は、この処理ルーチンを終了し、パソコン３との通信路を切断する。
【０１１７】
ステップＳ５１で、自分の発信情報以外を基にした編集が選択されたと判別したときには、制御部１０１は、自分の発信情報以外を基にした編集用のページ（以下、発信情報以外基準編集用ページという）を、当該会員ユーザのパソコン３に送信する（ステップＳ５３）。
【０１１８】
図７を用いて前述したように、この発信情報以外基準編集用ページでは、個人の発信情報以外の情報を検索することができる。そこで、制御部１０１は、この発信情報以外基準編集用ページにおいて、会員ユーザによりキーワードと検索項目とが選定されたことによるそれらのキーワードおよび検索項目の指定を含む検索要求を受信したか否か判別する（ステップＳ５４）。
【０１１９】
このステップＳ５４で、キーワードおよび検索項目の指定を含む検索要求を受信してはいないと判別したときには、制御部１０１は、「戻る」アイコンが操作されたか否か判別し（ステップＳ６１）、操作されたと判別したときには、処理をステップＳ２２に戻し、このステップＳ２２以降の処理を繰り返す。
【０１２０】
また、ステップＳ６１で、「戻る」アイコンが操作されてはいないと判別したときには、制御部１０１は、「終了」アイコンが操作されたか否か判別し（ステップＳ６２）、「終了」アイコンが操作されてはいないと判別したときには、処理をステップＳ５４に戻し、このステップＳ５４以降の処理を繰り返す。また、ステップＳ６２で、「終了」アイコンが操作されたと判別したときには、制御部１０１は、この処理ルーチンを終了し、パソコン３との通信路を切断する。
【０１２１】
また、ステップＳ５４で、キーワードおよび検索項目の指定を含む検索要求を受信したと判別したときには、制御部１０１は、ライフログ支援部１０８の検索部１１０を起動させて、要求された検索を実行し（ステップＳ５５）、その検索結果を会員ユーザのパソコン３に送信する（ステップＳ５６）。
【０１２２】
この検索結果を受け取った会員ユーザは、前述したように、ライフログとして残したい情報を、その検索結果の中から選択して、その選択情報をサーバ２０に送るようにする。もしも、残したい検索結果がない場合には、会員ユーザは「戻る」アイコンを操作して、他の情報を検索するか、または「終了アイコン」を操作してこの処理を終了させるようにする。
【０１２３】
そこで、制御部１０１は、送信した検索結果のうちから特定の検索結果の選択情報を受信したか否か判別する（ステップＳ５７）。このステップＳ５７で、特定の検索結果の選択情報を受信してはいないと判別したときには、制御部１０１は、「戻る」アイコンが操作されたか否か判別し（図１３のステップＳ７１）、操作されたと判別したときには、処理をステップＳ５３に戻し、このステップＳ５３以降の処理を繰り返す。
【０１２４】
また、ステップＳ７１で、「戻る」アイコンが操作されてはいないと判別したときには、制御部１０１は、「終了」アイコンが操作されたか否か判別し（ステップＳ７２）、「終了」アイコンが操作されてはいないと判別したときには、処理をステップＳ５７に戻し、このステップＳ５７以降の処理を繰り返す。また、ステップＳ７２で、「終了」アイコンが操作されたと判別したときには、制御部１０１は、この処理ルーチンを終了し、パソコン３との通信路を切断する。
【０１２５】
そして、ステップＳ５７で、特定の検索結果の選択情報を受信したと判別したときには、制御部１０１は、選択された特定の検索結果を保持しておく（ステップＳ５８）。そして、次に制御部１０１は、前記特定の検索結果と関連付けられる発信情報の検索要求を受信したか否か判別する（ステップＳ５９）。
【０１２６】
このステップＳ５９で、当該検索要求を受信してはいないと判別したときには、制御部１０１は、「戻る」アイコンが操作されたか否か判別し（図１４のステップＳ８１）、操作されたと判別したときには、処理をステップＳ５３に戻し、このステップＳ５３以降の処理を繰り返す。
【０１２７】
また、ステップＳ８１で、「戻る」アイコンが操作されてはいないと判別したときには、制御部１０１は、「終了」アイコンが操作されたか否か判別し（ステップＳ８２）、「終了」アイコンが操作されてはいないと判別したときには、処理をステップＳ５７に戻し、このステップＳ５７以降の処理を繰り返す。また、ステップＳ８２で、「終了」アイコンが操作されたと判別したときには、制御部１０１は、この処理ルーチンを終了し、パソコン３との通信路を切断する。
【０１２８】
ステップＳ５９で、当該検索要求を受信したと判別したときには、制御部１０１は、その検索要求に含まれる時間や場所、その他のキーワードにより、ライフログ蓄積部１０７に蓄積されている当該会員ユーザのライフログのデータを検索し、その検索結果の発信情報を会員ユーザのパソコン３に送信する（ステップＳ６０）。
【０１２９】
次に、制御部１０１は、会員ユーザのパソコン３から、前記検索結果から選択された発信情報の選択情報と、挿入要求を受信したか否か判別する（図１５のステップＳ９１）。このステップＳ９１で、発信情報の選択情報と挿入要求を受信してはいないと判別したときには、制御部１０１は、「戻る」アイコンが操作されたか否か判別し（ステップＳ９２）、操作されたと判別したときには、処理をステップＳ５９に戻し、このステップＳ５９以降の処理を繰り返す。
【０１３０】
また、ステップＳ９２で、「戻る」アイコンが操作されてはいないと判別したときには、制御部１０１は、「終了」アイコンが操作されたか否か判別し（ステップＳ９３）、「終了」アイコンが操作されてはいないと判別したときには、処理をステップＳ９１に戻し、このステップＳ９１以降の処理を繰り返す。また、ステップＳ９３で、「終了」アイコンが操作されたと判別したときには、制御部１０１は、この処理ルーチンを終了し、パソコン３との通信路を切断する。
【０１３１】
そして、ステップＳ９１で、会員ユーザのパソコン３から発信情報の選択情報と挿入要求を受信したと判別したときには、制御部１０１は、ライフログのデータ中の当該選択された発信情報の直後に、ステップＳ５８で保持された特定の発信情報以外の情報を追加挿入する（ステップＳ９４）。
【０１３２】
次に、制御部１０１は、会員ユーザにより入力された文字列と、それをライフログに追加挿入すべきとする挿入要求を受信したか否か判別する（ステップＳ９５）。
【０１３３】
このステップＳ９５で、入力文字列と挿入要求を受信したと判別したときには、制御部１０１は、ライフログのデータ中で、会員ユーザにより選択されている時間位置の発信情報の直後に、当該挿入要求された入力文字列を追加挿入することで、当該発信情報に関連付けてライフログ蓄積部１０７に蓄積する（ステップＳ９６）。このステップＳ９６の次には、制御部１０１は、処理をステップＳ２２に戻し、このステップＳ２２以降の処理を繰り返す。
【０１３４】
また、ステップＳ９５で、入力文字列と挿入要求を受信してはいないと判別したときには、制御部１０１は、「終了」アイコンが操作されたか否か判別し（ステップＳ９７）、「終了」アイコンが操作されてはいないと判別したときには、処理をステップＳ９５に戻し、このステップＳ９５以降の処理を繰り返す。また、ステップＳ９７で、「終了」アイコンが操作されたと判別したときには、制御部１０１は、この処理ルーチンを終了し、パソコン３との通信路を切断する。
【０１３５】
〔ライフログの閲覧処理〕
この実施形態では、会員ユーザは、自分のライフログの閲覧を任意の第３者に許可するかどうかを、サーバ２０に対して登録するようにしている。図示は省略するが、会員情報記憶部１０３には、会員ユーザ毎にライフログの閲覧を許可するかどうかの情報が記録されている。サーバ２０は、ライフログの閲覧を許可している会員ユーザのライフログを、閲覧要求をしてきたアクセス者に閲覧させるようにする。
【０１３６】
図１６〜図１８は、サーバ２０に対して閲覧要求があったときの処理動作の流れの一例を示すフローチャートである。
【０１３７】
サーバ２０の制御部１０１は、アクセス者から閲覧要求を受信したか否か判別する（ステップＳ１０１）。閲覧要求を受信してはいないと判別したときには、制御部１０１は、その他の処理を実行する（ステップＳ１０２）。
【０１３８】
ステップＳ１０１で閲覧要求を受信したと判別したときには、制御部１０１は、ライフログの閲覧を許可している会員ユーザのライフログの一覧リストを、閲覧要求者に送信する（ステップＳ１０３）。そして、制御部１０１は、閲覧要求者から閲覧を要求するライフログの選択情報を受信したか否か判別し（ステップＳ１０４）、選択情報を受信してはいないと判別したときには、閲覧者から終了要求を受信したか否か判別し（ステップＳ１０５）、終了要求を受信してはいないと判別したときには処理をステップＳ１０４に戻し、終了要求を受信したと判別したときには、この処理ルーチンを終了する。
【０１３９】
また、ステップＳ１０４で、閲覧要求者から閲覧を要求するライフログの選択情報を受信したと判別したときには、制御部１０１は、閲覧対象の会員ユーザのライフログを閲覧要求者のパソコンに送信する（ステップＳ１０６）。
【０１４０】
閲覧者は、このライフログの情報を自分のパソコンの画面で閲覧することができる。その際、スクロールすることにより、時間を追って順次にライフログを閲覧することができるが、この実施形態では、キーワードを指定してライフログを検索することもできるように、ライフログの閲覧画面には「検索」アイコンを含むように構成されている。
【０１４１】
そして、この実施形態では、後述するように、会員ユーザの発信情報を基にした検索と、発信情報以外の関連情報を基にした検索との２通りができるように構成されている。前者の場合には、例えば会員ユーザが高校１年生の頃は、どのようなことを発信し、関連情報としてはどんなものか記録されているかを検索できる。また、後者の場合には、例えば２０１０年の上海万博の頃には、会員ユーザはどのようなことを発信しているかを検索することができる。
【０１４２】
制御部１０１は、閲覧者により「検索」アイコンが操作されたか否か判別する（ステップＳ１０７）。ステップＳ１０７で、「検索」アイコンが操作されてはいないと判別したときには、制御部１０１は、閲覧者から終了要求を受信したか否か判別し（ステップＳ１０８）、終了要求を受信してはいないと判別したときには処理をステップＳ１０７に戻し、終了要求を受信したと判別したときには、この処理ルーチンを終了する。
【０１４３】
ステップＳ１０７で、「検索」アイコンが操作されたと判別したときには、制御部１０１は、閲覧者に対して、発信情報を基にした検索か、発信情報以外の情報を基にした検索のいずれかの選択を促すページを送信する（ステップＳ１０９）。
【０１４４】
このページにおいて、閲覧者が発信情報を基にした検索を選択すると、例えば、「成人式」、「結婚式」、「新婚旅行」、・・・などの個人のイベントからなる検索用キーワードの一覧が表示される。同様にして、閲覧者が発信情報以外の情報を基にした検索を選択すると、例えば、「上海万博」、「２０１０ワールドカップ」・・・など、社会のイベントからなる検索用キーワードの一覧が表示される。
【０１４５】
また、閲覧者が個人のイベントまたは社会のイベントに関する検索用キーワードを入力することもできるようにされている。閲覧者は、検索用キーワードを設定した後、検索要求をサーバ２０に対して送信する。
【０１４６】
制御部１０１は、発信情報を基にした検索要求（検索用キーワードを含む）を受信したか否か判別する（ステップＳ１１１）。このステップＳ１１１で、発信情報を基にした検索要求を受信してはいないと判別したときには、制御部１０１は、発信情報以外の情報を基にした検索要求（検索用キーワードを含む）を受信したか否か判別する（図１８のステップＳ１３１）。
【０１４７】
このステップＳ１３１で、発信情報以外の情報を基にした検索要求を受信してはいないと判別したときには、制御部１０１は、閲覧者から終了要求を受信したか否か判別し（ステップＳ１３２）、終了要求を受信してはいないと判別したときには処理を図１６のステップＳ１１０に戻し、終了要求を受信したと判別したときには、この処理ルーチンを終了する。
【０１４８】
また、ステップＳ１１１で、発信情報を基にした検索要求を受信したと判別したときには、制御部１０１は、その検索要求に含まれる検索用キーワードを用いて、ステップＳ１０４で選択された会員ユーザのライフログを検索し、その検索された発信情報部分を中心としたライフログの情報を、検索結果として閲覧者に送信する（図１７のステップＳ１２１）。
【０１４９】
次に、制御部１０１は、検索用キーワードが変更されると共に再度の検索要求を受信したか否かを判別し（ステップＳ１２２）、再度の検索要求を受信したと判別したときには、処理をステップＳ１２１に戻し、このステップＳ１２１以降の処理を繰り返す。
【０１５０】
また、ステップＳ１２２で、再度の検索要求を受信してはいないと判別したときには、閲覧者から終了要求を受信したか否か判別し（ステップＳ１２３）、終了要求を受信したと判別したときには、この処理ルーチンを終了する。また、ステップＳ１２３で、終了要求を受信してはいないと判別したときには、制御部１０１は、閲覧者から発信情報以外の情報を基にした検索要求（検索用キーワードを含む）を受信したか否か判別する（ステップＳ１２４）。
【０１５１】
ステップＳ１２４で、閲覧者から発信情報以外の情報を基にした検索要求を受信してはいないと判別したときには、制御部１０１は、処理をステップＳ１２２に戻す。
【０１５２】
また、ステップＳ１２４で、閲覧者から発信情報以外の情報を基にした検索要求を受信したと判別したとき、また、図１８のステップＳ１３１で閲覧者から発信情報以外の情報を基にした検索要求を受信したと判別したときには、制御部１０１は、その検索要求に含まれる検索用キーワードを用いて、ステップＳ１０４で選択された会員ユーザのライフログを検索し、その検索された発信情報部分を先頭とするライフログの情報を、検索結果として閲覧者に送信する（図１８のステップＳ１３３）。
【０１５３】
次に、制御部１０１は、検索用キーワードが変更されると共に再度の検索要求を受信されたか否かを判別し（ステップＳ１３４）、再度の検索要求を受信したと判別したときには、処理をステップＳ１３３に戻し、このステップＳ１３３以降の処理を繰り返す。
【０１５４】
また、ステップＳ１３４で、再度の検索要求を受信してはいないと判別したときには、閲覧者から終了要求を受信したか否か判別し（ステップＳ１３５）、終了要求を受信したと判別したときには、この処理ルーチンを終了する。また、ステップＳ１３５で、終了要求を受信してはいないと判別したときには、制御部１０１は、閲覧者から発信情報を基にした検索要求（検索用キーワードを含む）を受信したか否か判別する（ステップＳ１３６）。
【０１５５】
このステップＳ１３６で、閲覧者から発信情報を基にした検索要求を受信してはいないと判別したときには、制御部１０１は、処理をステップＳ１３４に戻し、このステップＳ１３４以降の処理を繰り返す。
【０１５６】
また、ステップＳ１３６で、閲覧者から発信情報を基にした検索要求を受信したと判別したとき、制御部１０１は、処理をステップＳ１２１に戻し、このステップＳ１２１以降の処理を繰り返す。
【０１５７】
［実施形態の効果］
以上のようにして、上記の実施形態によれば、サーバ２０においては、会員ユーザがインターネットを通じて発信した個人の発信情報の全てをライフログ情報として蓄積すると共に、会員ユーザが編集処理をすることにより、自分の発信情報に関連する社会イベントや場所の説明、写真などを蓄積することができる。
【０１５８】
したがって、ライフログ蓄積部１０７に蓄積されたライフログ情報は、読み物として面白いものとすることができると共に、自分史や伝記を作成する基とすることができる。また、個人の発信情報は、年月が経過すると、自分が発信したものであっても、その意味するところを把握できなくなる場合もあるが、この実施形態では、関連情報が編集により追加記録されるので、その関連情報を頼りに記憶を甦らせることもできる。
【０１５９】
［他の実施形態または変形例］
なお、上述の例では、検索結果の文字列や画像などをクリップボードに貼り付け、それをそのままライフログとして追加挿入したが、それらの検索結果が得られるリンク情報（ＵＲＬなど）を、ライフログに挿入して記録するようにしても良い。
【０１６０】
また、インターネットなどの通信ネットワークを通じて発信する情報は、上述の例に限られるものではなく、例えば、音楽サイトに投稿する自分が作曲した音楽情報などであっても良い。
【０１６１】
また、上述の実施形態では、個人の情報発信用の専用アプリケーションを会員ユーザの端末にインストールするようにしたが、サーバ２０側に、個人の情報発信を支援する機能を設けるようにしても良い。
【０１６２】
すなわち、その場合には、サーバ２０は、会員ユーザに提供する個人の情報発信のためのＷｅｂページに、会員ユーザが電子メールや種々のＣＧＭを通じて情報発信をしたり、写真・動画サイト１１に投稿したりすることができるように、ブックマークレットやアドオン、プラグインなどを提供しておく。
【０１６３】
会員ユーザは、このＷｅｂページから電子メールや各種ＣＧＭに関するアカウントの登録を行って、このＷｅｂページから各メディアへの情報発信をするようにする。会員情報記憶部１０３には、各会員ユーザの会員識別子（会員ＩＤ）に対応付けて、登録されたメールアカウント、ブログアカウント、ツイッターアカウント、・・・などの情報を記憶しておく。
【０１６４】
サーバ２０は、会員ユーザによる情報発信があったときには、使用されているアカウントにより、この会員情報記憶部１０３の記憶情報を参照して、いずれの会員ユーザによる発信であるかを判別する。そして、サーバ２０は、判別した会員ユーザの会員ＩＤに対応付けて、その発信情報を、その発信時間と共に、ライフログ蓄積部１０７に記憶するようにする。
【０１６５】
なお、上述の実施形態では、会員ユーザは、自分のライフログの閲覧を任意の閲覧者に許可するか否かを設定するようにした。しかしながら、閲覧者を会員ユーザ毎に制限するようにすることもできる。例えば、会員ユーザ毎に、自分のライフログの閲覧を許可する場合のユーザＩＤやパスワードを登録しておき、サーバ２０は、そのユーザＩＤやパスワードを確認したときにのみ、対応する会員ユーザのライフログの閲覧を可能にするようにしても良い。その場合には、会員ユーザは、自分のライフログの閲覧を許可する人に、予め、前記ユーザＩＤやパスワードを知らせて、閲覧するように依頼することになる。
【０１６６】
なお、以上の例では、会員ユーザや閲覧者の端末はパソコンの場合としたが、パソコンに限らず、インターネット１を通じたサーバ２０にアクセスすることができる端末であれば、どのような端末であっても良い。例えば、携帯電話端末やパッド型の携帯情報端末であってもよい。
【０１６７】
また、以上の実施形態では、情報蓄積編集装置は、インターネットに接続されているサーバ２０からなるものとした。しかしながら、この発明の情報蓄積編集装置は、このようなサーバの構成とするのではなく、各ユーザのパソコンなどの端末装置に、ライフログ蓄積部１０７およびライフログ編集支援部１０８を設けることにより、各ユーザ毎のパソコンにより構成することもできる。
【符号の説明】
【０１６８】
２０…ライフログ蓄積編集サーバ、１０１…制御部、１０７…ライフログ蓄積部、１０８…ライフログ編集支援部
【図１】
0005361853.tif 000002
【図２】
0005361853.tif 000003
【図３】
0005361853.tif 000004
【図４】
0005361853.tif 000005
【図５】
0005361853.tif 000006
【図６】
0005361853.tif 000007
【図７】
0005361853.tif 000008
【図８】
0005361853.tif 000009
【図９】
0005361853.tif 000010
【図１０】
0005361853.tif 000011
【図１１】
0005361853.tif 000012
【図１２】
0005361853.tif 000013
【図１３】
0005361853.tif 000014
【図１４】
0005361853.tif 000015
【図１５】
0005361853.tif 000016
【図１６】
0005361853.tif 000017
【図１７】
0005361853.tif 000018
【図１８】
0005361853.tif 000019